(57)【要約】【課題】保持溝に対するチューブ等の長尺物の挿入抵抗を軽減し、複数の長尺物を複数の保持溝に同時に挿入できるクリップを提供する。【解決手段】このクリップ１０は、長尺物を受け入れて保持する保持溝１５が３つ以上並列して設けられ、隣り合う保持溝１５の間には支持壁２５が形成され、この支持壁２５には、その先端部から所定深さでスリット３０が形成され、このスリット３０を介して一対の分離片２７，２７が設けられ、各分離片２７の保持溝１５に面した側面には、保持溝内方に向けて突出した抜け止め突部２８が設けられており、スリット３０は、基端に設けられた拡径孔３１と、長さ方向途中に形成された幅狭部３３と、この幅狭部３３からスリット入口に向けて広がった拡開部３５とを有し、幅狭部３３は、抜け止め突部２８よりも、支持壁基部側に形成され、保持溝１５に長尺物を挿入する際、分離片２７が撓んで幅狭部３３が当接するように構成されている。【選択図】図１
2011133083.tif 000002
【特許請求の範囲】
【請求項１】
管状、線状又は棒状の長尺物を保持するクリップであって、
前記長尺物を受け入れて保持する保持溝が３つ以上並列して設けられ、隣り合う前記保持溝の間には支持壁が形成され、
前記支持壁には、その先端部から所定深さでスリットが形成され、このスリットを介して一対の分離片が設けられ、各分離片の前記保持溝に面した側面には、前記保持溝内方に向けて突出した抜け止め突部が設けられており、
前記スリットは、基端に設けられた拡径孔と、長さ方向途中に形成された幅狭部と、この幅狭部からスリット入口に向けて広がった拡開部とを有し、
前記スリットの幅狭部は、前記保持溝の抜け止め突部よりも、前記支持壁の基部側に形成されていて、前記保持溝に前記長尺物を挿入する際、前記分離片が撓んで前記幅狭部が当接するように構成されていることを特徴とするクリップ。
【請求項２】
前記分離片の抜け止め突部より先端側は、先端に向けて保持溝内への突出高さが低くなる傾斜面をなしている請求項１記載のクリップ。
【請求項３】
前記拡径孔の支持壁基部側の下端と、前記保持溝に保持される前記長尺物の下端との保持溝挿入方向に沿ったＤは、前記長尺物の半径Ｒに対して０．１〜１．５倍とされている請求項１又は２記載のクリップ。
【請求項４】
複数の長尺物が前記保持溝に保持されたとき、隣接する長尺物の中心どうしの間隔Ｐが、長尺物の半径Ｒの３倍よりも小さくなるように、前記保持溝が形成されている請求項１〜３のいずれか１つに記載のクリップ。
【請求項５】
前記長尺物は、体内挿入具の収容チューブである請求項１〜４のいずれか１つに記載のクリップ。
【発明の詳細な説明】
【技術分野】
【０００１】
本発明は、例えば、チューブやパイプ等の長尺物を複数本並列して保持するためのクリップに関する。
【背景技術】
【０００２】
近年、血管等の管状器官内にチューブ状のカテーテルを挿入して、このカテーテルを介して、制癌剤や栄養剤等の薬液や、造影剤等の流体を注入することが行われている。このカテーテルを挿入するにあたっては、ガイドワイヤを先行して管状器官内に挿入した後、その外周に沿ってカテーテルを移動させて、目的位置にカテーテルの先端を到達させるようにしている。
【０００３】
上記ガイドワイヤは、ガイドワイヤ自体の保護や管状器官内に挿入する際の取扱いやすさ等の観点から、所定長さで伸びる収容チューブに収容されることが一般的である。この収容チューブは、全体として渦巻き状に巻回されていると共に、その周方向の複数個所に、隣り合ったチューブどうしを並列させた状態で保持固定するためのクリップが装着されており、上記渦巻き形状に保形されるようになっている。
【０００４】
上記のように、複数のチューブやパイプ等を並列させて保持するためのクリップとしては、以前から様々な形態のものが用いられている。例えば、下記特許文献１には、開閉可能な蓋部を有する基体部と、パイプを保持するパイプ保持部とを有するクリップが開示されている。前記パイプ保持部は、複数の保持溝が壁部を介して画成されており、この壁部に略Ｕ字状をなした差込溝が形成されている。また、基体部の蓋部の内面には、前記差込溝に挿入される突起が設けられている。
【０００５】
そして、複数のパイプを各保持溝に同時に挿入すると、壁部の差込溝によって分離された部分が互いに閉じるように撓み変形して、パイプを保持溝の奥方に挿入できるようになっている。
【先行技術文献】
【特許文献】
【０００６】
【特許文献１】特開２００４−１００９２８号公報
【発明の概要】
【発明が解決しようとする課題】
【０００７】
しかしながら、上記特許文献１のクリップにおけるＵ字状の差込溝は、複数のパイプを各保持溝に同時に挿入しようとすると、Ｕ字状の差込溝の溝底にかかる応力がＲ形状に沿って分散し、壁部の差込溝によって分離された部分が曲がりにくいため、挿入抵抗が大きくなるという問題点があった。
【０００８】
したがって、本発明の目的は、保持溝に対するチューブやパイプ等の長尺物の挿入抵抗を軽減して、複数の長尺物を複数の保持溝に同時に挿入することができるクリップを提供することにある。
【課題を解決するための手段】
【０００９】
上記目的を達成するため、本発明のクリップは、管状、線状又は棒状の長尺物を保持するクリップであって、前記長尺物を受け入れて保持する保持溝が３つ以上並列して設けられ、隣り合う前記保持溝の間には支持壁が形成され、前記支持壁には、その先端部から所定深さでスリットが形成され、このスリットを介して一対の分離片が設けられ、各分離片の前記保持溝に面した側面には、前記保持溝内方に向けて突出した抜け止め突部が設けられており、前記スリットは、基端に設けられた拡径孔と、長さ方向途中に形成された幅狭部と、この幅狭部からスリット入口に向けて広がった拡開部とを有し、前記スリットの幅狭部は、前記保持溝の抜け止め突部よりも、前記支持壁の基部側に形成されていて、前記保持溝に前記長尺物を挿入する際、前記分離片が撓んで前記幅狭部が当接するように構成されていることを特徴する。
【００１０】
本発明のクリップにおいては、前記分離片の抜け止め突部より先端側は、先端に向けて保持溝内への突出高さが低くなる傾斜面をなしていることが好ましい。
【００１１】
本発明のクリップにおいては、前記拡径孔の支持壁基部側の下端と、前記保持溝に保持される前記長尺物の下端との保持溝挿入方向に沿ったＤは、前記長尺物の半径Ｒに対して０．１〜１．５倍とされていることが好ましい。
【００１２】
本発明のクリップにおいては、複数の長尺物が前記保持溝に保持されたとき、隣接する長尺物の中心どうしの間隔Ｐが、長尺物の半径Ｒの３倍よりも小さくなるように、前記保持溝が形成されていることが好ましい。
【００１３】
本発明のクリップにおいては、前記長尺物は、体内挿入具の収容チューブであることが好ましい。
【発明の効果】
【００１４】
本発明によれば、前記保持溝に長尺物を挿入すると、分離片の保持溝に面した側面に設けられた抜け止め突部が押圧されて、スリットによって形成された分離片が互いに近づくように撓み、前記スリットの幅狭部の両側内面どうしが互いに当接する。
【００１５】
すると、この１点の当接部に応力が集中し、該当接部を支点として分離片が撓みやすくなり、挿入抵抗を増大させることなく、抜け止め突部を乗り越えさせて長尺物を保持溝内に挿入することができる。
【００１６】
このように、長尺物の挿入抵抗を低く抑えることができるため、長尺物に過大な力を負荷しなくても、保持溝にスムーズに挿入することができ、長尺物が、弾性材料からなる管状のチューブ等であっても変形させたり破断させたりする虞れがない。
【００１７】
その結果、複数の長尺物を保持溝に同時に挿入することができ、作業性を向上させることができる。
【００１８】
こうして、保持溝内に挿入された長尺物は、抜け止め突部によって引き抜きを防止されると共に、スリットの基端に拡径孔を設けたことにより、初期の引き抜き荷重を高めて抜け止め効果を高めることができる。
【図面の簡単な説明】
【００１９】
【図１】本発明のクリップの一実施形態を示す斜視図である。
【図２】（Ａ）は同クリップの平面図、（Ｂ）は同クリップの正面図である。
【図３】同クリップの要部拡大正面図である。
【図４】同クリップの保持溝に長尺物を挿入する際の状態を示し、（Ａ）はその第１工程を示す要部拡大正面図、（Ｂ）は第２工程を示す要部拡大正面図、（Ｃ）は第３工程を示す要部拡大正面図、（Ｄ）は第４工程を示す要部拡大正面図である。
【図５】（Ａ）は同クリップの複数の保持溝に、複数の長尺物を挿入する前の状態を示す説明図、（Ｂ）は同クリップの複数の保持溝に、複数の長尺物を同時に挿入した状態を示す説明図である。
【図６】同クリップを、渦巻き状に巻回された体内挿入具の収容チューブを、保形する際に用いた状態を示す斜視図である。
【発明を実施するための形態】
【００２０】
以下、図面を参照して、本発明のクリップの一実施形態について説明する。
【００２１】
図１に示すように、このクリップは、チューブやパイプ等の長尺物を複数本並列させて保持するためのもので、前記長尺物を受け入れて保持する保持溝１５が３つ以上並列して設けられている。この実施形態では、図６に示すように、ガイドワイヤＷ等の体内挿入具を収容するための、体内挿入具の収容チューブ１（以下、「収容チューブ１」という）を、所定の渦巻き形状に保形するために用いられるものである。
【００２２】
図２（Ａ），（Ｂ）を併せて参照すると、この実施形態のクリップ１０は、所定方向に長く伸びる細長板状のベース部２０を有し、このベース部２０の一方の面には、両端に側壁２１が設けられ、側壁２１の間に所定間隔で支持壁２５が設けられており、側壁２１とそれと隣接する支持壁２５との間、及び隣接し合う支持壁２５どうしの間に保持溝１５が形成されている。側壁２１及び支持壁２５は、ベース部２０の幅方向（長手方向に直交する方向）全体に亘って延設されており、保持溝１５の内周面が円弧状をなしている。
【００２３】
この実施形態では、保持溝１５がベース部２０の長手方向に並列して５つ設けられている。その結果、図２（Ａ）に示すように、複数の長尺物（収容チューブ１）が、その軸方向をベース部２０の長手方向に直交するように配置させて、各保持溝１５に並列して保持されるようになっている。
【００２４】
本発明では、図３に示すように、複数の長尺物が前記保持溝１５にそれぞれ保持された状態で、隣接する長尺物の中心Ｃ，Ｃどうしの間隔Ｐが、長尺物の半径Ｒの３倍よりも小さくなるように、前記保持溝１５が配置されていることが好ましい。本発明は、上記のように、保持溝１５に挿入される隣接する長尺物の中心Ｃ，Ｃどうしの間隔Ｐ（図３参照）を狭くしたものにおいて、複数の長尺物を保持溝１５内に低挿入力で同時に挿入することができようにすることを目的としている。
【００２５】
前記支持壁２５の先端部からは、所定深さでスリット３０が形成されており、このスリット３０を介して、撓み可能な一対の分離片２７，２７が設けられている。なお、スリット３０は、支持壁２５の延設方向（ベース部２０の幅方向に沿う方向）全長に亘って形成されている（図２（Ａ）参照）。また、各分離片２７の前記保持溝１５に面した側面には、保持溝１５内方に向けて、所定高さで抜け止め突部２８が突出しており、保持溝１５に保持された長尺物の上部外周面を抑え付けて、同長尺物を抜け止め保持するようになっている（図４（Ｅ）参照）。
【００２６】
また、図３に示すように、各分離片２７の前記抜け止め突部２８よりも、支持壁２５の先端側の側面は、支持壁２５の先端に向けて、保持溝１５内方への突出高さが、次第に低くなる傾斜面２９をなしており、保持溝１５内に収容チューブ１等の長尺物を挿入するときのガイドとなっている（図４（Ａ）参照）。
【００２７】
図３を参照すると、前記スリット３０は、基端に設けられた拡径孔３１と、その長さ方向途中に形成された幅狭部３３と、この幅狭部３３からスリット入口に向けて所定角度で広がった拡開部３５とを有している。この実施形態における前記拡径孔３１は、その下半部３１ａが円弧状の周面をなし、上半部３１ｂは幅狭部３３に向けて緩やかなカーブを描きつつ次第に幅狭とされ、再び緩やかなカーブを描いて次第に幅広となり、幅狭部３３が内面側に突出した曲面状となっている。
【００２８】
また、前記幅狭部３３は、分離片２７の抜け止め突部２８よりも、前記支持壁２５の基部側に形成されている。その結果、図４（Ａ）に示すように、複数の保持溝１５にそれぞれ収容チューブ１等の長尺物を挿入していくと、各抜け止め突部２８が長尺物に押圧されて、図４（Ｂ）に示すように、幅狭部３３の両側内面どうしが互いに当接し、この当接した部分Ｓ（図４（Ｂ）参照）を支点として、各分離片２７，２７が撓み変形するようになっている。
【００２９】
なお、上記拡径孔３１は、図３に示すような、円弧状の周面を有する下半部３１ａと、幅狭部３３に向けて緩やかなカーブを描きつつ次第に幅狭とされた上半部３１ｂとからなる異形孔形状に限定されず、丸孔や、楕円形状の孔等であってもよい。
【００３０】
図３に示すように、前記拡径孔３１の支持壁基部側の下端と、前記保持溝１５に保持される収容チューブ１等の長尺物の下端との保持溝１５への挿入方向に沿った距離Ｄは、同長尺物の半径Ｒに対して０．１〜１．５倍とされていることが好ましく、０．５〜１．２倍であることがより好ましい。その結果、挿入される長尺物に応じて、スリット３０を適当な深さに設定することができ、保持溝１５に対する長尺物の挿入抵抗を小さくしつつ、保持溝１５へ配置された長尺物への保持力を高めることができる。なお、上記距離Ｄが、長尺物の半径Ｒに対して０．１倍未満であると、スリット３０が深すぎて、保持溝１５内に収容保持された長尺物への保持力に問題が生じ、１．５倍を超えると、スリット３０が浅すぎて、保持溝１５へ長尺物を挿入する際の挿入抵抗を十分に低減させることができず好ましくない。
【００３１】
以上説明したクリップ１０は、例えば、ポリエチレン、ポリプロピレン、ポリアミド、ポリアセタール、ポリブチレンテレフタレート等の合成樹脂により一体的に成形されている。
【００３２】
次にこのクリップ１０の使用方法及び作用効果について説明する。
【００３３】
この実施形態におけるクリップ１０は、前述したように、ガイドワイヤＷ等を収容する管状の収容チューブ１を、所定の渦巻き形状に保形するために用いられるものである。ただし、自動車の燃料系や冷却系等で用いられるチューブやパイプ等の管状の長尺物や、電装部品で用いられるケーブルやワイヤハーネス等の線状や棒状をなす長尺物を、保持固定するために用いてもよい。
【００３４】
そして、このクリップ１０を使用するに当たっては、所定長さで伸びる収容チューブ１を、環状に屈曲させて１巻目のループを作成した後、そのループの外周に沿って２巻目のループを巻き、これを複数繰り返して渦巻き状に巻回する（図６参照）。ここではチューブが５周巻かれているので、周方向に見たときに５本のチューブが並列して配置された状態となっている。この渦巻き形状を維持しつつ、図５（Ａ）に示すように、並列に保持された５本の収容チューブ１に、クリップ１０の５つの保持溝１５の先端開口部を整合させて、収容チューブ１に向けて押し込む。
【００３５】
すると、図４（Ａ）に示すように、各保持溝１５内に収容チューブ１が入り込んでいく。このとき、クリップ１０の各分離片２７の、抜け止め突部２８より先端側の側面は、支持壁先端に向けて保持溝内への突出高さが低くなる傾斜面２９をなしているので、保持溝１５内に収容チューブ１等の長尺物を挿入するときのガイドとなり、長尺物をスムーズに挿入することができる。例えば、図４（Ａ）の想像線で示すように、保持溝１５の先端開口から収容チューブ１が位置ずれしていても、傾斜面２９に当接した収容チューブ１が、保持溝１５の先端開口中央へとガイドされて、保持溝１５内にスムーズに挿入することができる。
【００３６】
そして、保持溝１５内へと挿入された複数の収容チューブ１により、各分離片２７の抜け止め突部２８，２８がそれぞれ押圧されて、図４（Ｂ）に示す如く、スリット３０の幅狭部３３の両側内面どうしが互いに当接し、この当接した部分Ｓを支点として、一対の分離片２７，２７が内方（保持溝１５の開口を広げる方向）に撓み変形していく。
【００３７】
更に、各収容チューブ１が押し込まれると、図４（Ｃ）に示すように、スリット３０の拡開部３５の両側内面どうしが更に近づくように撓み変形し、収容チューブ１自体もやや変形して、図４（Ｄ）に示すように、収容チューブ１が抜け止め突部２８を乗り超え、保持溝１５の奥方まで完全に押し込まれる。すると、図４（Ｄ）及び図５（Ｂ）に示すように、一対の分離片２７，２７がそれぞれ弾性復帰し、各収容チューブ１の上部外周面に当接して、複数の保持溝１５内に複数の収容チューブ１を、並列した状態で抜け止め保持することができる。
【００３８】
なお、クリップ１０の長手方向両端部の保持溝１５,１５においては、収容チューブ１を挿入するとき、クリップ両端の円弧状に屈曲した側壁２１,２１が上記分離片２７と同様に撓み変形し、その抜け止め突部２２で収容チューブ１を抜け止め保持するようになっている。
【００３９】
上記作業を繰り返して、渦巻き形状に保形された収容チューブ１の周方向の所定箇所に、クリップ１０を複数個装着させることにより、図６に示すように収容チューブ１を渦巻き形状に巻回した状態に保持することができる。
【００４０】
そして、このクリップ１０においては、スリット３０の基端に拡径孔３１を形成して、その長さ方向途中に幅狭部３３を設けたことにより、この幅狭部３３の両側内面の互いに当接した部分Ｓを支点として一対の分離片２７，２７が撓み変形するので、上記特許文献１のクリップのように、単純なＵ字状の差込溝を形成した場合と比較して、分離片２７，２７を撓みやすくさせることができ、収容チューブ１等の長尺物の、保持溝１５への挿入抵抗を大幅に軽減することができる。その結果、複数の長尺物を、複数の保持溝１５に同時に挿入することができ、作業性を向上させることができる。
【００４１】
また、長尺物の挿入抵抗を低く抑えることができるため、長尺物に過大な力を負荷しなくても、保持溝１５内にスムーズに挿入することができ、長尺物が、弾性材料からなる管状のチューブ等であったり、上記の収容チューブ１のように、ポリエチレン、ポリプロピレン、ポリアミド、塩化ビニル、シリコーン等のような比較的剛性の低い軟質の樹脂材料で形成されていたとしても、変形させたり破断させたりする虞れがなく、確実に保持溝１５に並列保持することができる。
【００４２】
更に、図４（Ｅ）及び図５（Ｂ）に示すように、保持溝１５の奥方まで長尺物が完全に挿入されると、スリット３０の幅狭部３３の両側内面が離れて、各分離片２７，２７が弾性復帰して長尺物が抜け止め保持されるようになっている。このとき、本クリップ１０における分離片２７は、スリット３０の基端に拡径孔３１を設けて、その途中に幅狭部３３を形成したことにより撓みやすくなっているので、スリット３０をそれほど深く形成しなくても、分離片２７を十分に撓ませることが可能となっている。その結果、分離片２７の肉厚や剛性を十分に確保することができるので、保持溝１５に収容された収容チューブ１等の長尺部に対する保持力を維持することができる。また、スリット３０の基端に拡径孔３１を設けたことにより、初期の荷重を高くして、収容チューブ１が抜けにくくすることができる。
【００４３】
また、この実施形態においては、クリップ１０で保持すべき長尺物を、体内挿入具の収容チューブ１としたので、上述したように、収容チューブ１を渦巻き状に巻回して、収容チューブ１を並列状態にし、この収容チューブ１の並列部分に、クリップ１０の複数の保持溝１５を押し付けるだけの簡単な作業で（図５（Ａ）参照）、並列した収容チューブ１を複数の保持溝１５内に同時に挿入することができ（図５（Ｂ））、その結果、収容チューブ１を渦巻き状に巻回された状態に保形することが可能となり、作業性を高めることができる。また、このクリップ１０では３つ以上の保持溝１５（ここでは５つの保持溝１５）を設けたので、渦巻状にした収容チューブ１の並列した部分を効率的に保持することができ、必要なクリップ数を減らすことが可能となり、コスト低減を図ることができる。
【００４４】
なお、渦巻き形状に保形された収容チューブ１からクリップ１０を取り外したい場合には、収容チューブ１を固定した状態で、クリップ１０をチューブから離れる方向に強く引っ張り、スリット３０を介して一対の分離片２７,２７を撓み変形させると共に、クリップ両端の側壁２１,２１を撓み変形させて、複数の保持溝１５からチューブをそれぞれ引き抜くことで、クリップ１０を収容チューブ１から取り外すことができる。
【実施例】
【００４５】
＜実施例１＞
図１〜６に示すように、支持壁２５にスリット３０が設けられ、保持溝１５を５つ備えるクリップ１０を製造した。同クリップ１０の保持溝１５の内径は、３．０ｍｍである。
【００４６】
＜比較例１＞
支持壁２５にスリットがなく、保持溝を３つ備えた従来のクリップを用いた。
【００４７】
＜試験例＞
上記実施例１及び比較例１のクリップを用いて、下記押し込み試験及び引き抜き試験を行った。
【００４８】
（１）押し込み試験
ガイドワイヤの収容チューブ（外径３．１ｍｍ）を用い、図６に示すように渦巻き状に巻回して、複数本のチューブが並列して配置された状態とし、これらのチューブの下半部を、図示しない試験台に形成された同心状の周溝に嵌入して位置決め保持した。
【００４９】
そして、並列配置された複数本の収容チューブ１の上方に、各クリップの複数の保持溝１５を整合配置して、図５（Ａ）の想像線で示すように、同クリップのベース部２０の裏面に、引張試験機のヘッドＨを当接させ、５ｍｍ／ｍｉｎの圧縮速度で、保持溝１５内に収容チューブ１が完全に収容されるまで、クリップを収容チューブ１に対して押し込み、そのときの押し込み荷重を測定した。
【００５０】
（２）引き抜き試験
複数の保持溝１５に複数本の収容チューブ１が収容保持された、クリップのベース部２０の裏面に、図５（Ｂ）に示すように、引張試験機のヘッドＨを両面テープで接着固定して、２５ｍｍ／ｍｉｎの引張速度で、各保持溝１５から各収容チューブ１が引き抜かれるまで、クリップを引っ張った。そのときの引き抜き荷重を測定した。
【００５１】
実施例１及び比較例１の上記押し込み試験結果を下記表１に示す。また、上記引き抜き試験結果を下記表２に示す。
【００５２】
【表１】
2011133083.tif 000003
【００５３】
【表２】
2011133083.tif 000004
【００５４】
表１に示すように、５個の保持溝１５を有する実施例１のクリップ１０の平均押し込み荷重は、５２．２Ｎであり、３個の保持溝１５を有する比較例１のクリップの平均押し込み荷重５３．７Ｎよりも低く、保持溝１５の数を増やしても、挿入抵抗を低く維持することが可能であることを確認できた。
【００５５】
また、表２に示すように、３個の保持溝１５を有する比較例１のクリップの平均引き抜き荷重３０．３Ｎに対して、５個の保持溝１５を有する実施例１のクリップの平均引き抜き荷重は３２．４Ｎであった。したがって、実施例１のクリップの引き抜き荷重は、比較例１と遜色ない程度に維持されていることがわかった。
【符号の説明】
【００５６】
１０  クリップ
１５  保持溝
２５  支持壁
２７  分離片
２８  抜け止め突部
２９  傾斜面
３０  スリット
３１  拡径孔
３３  幅狭部
３５  拡開部
【図１】
2011133083.tif 000005
【図２】
2011133083.tif 000006
【図３】
2011133083.tif 000007
【図４】
2011133083.tif 000008
【図５】
2011133083.tif 000009
【図６】
2011133083.tif 000010